(57)【要約】【課題】作業性を向上させる。【解決手段】電子機器は、開口部が設けられた筐体と、前記筐体の前記開口部に光を出力する光源部と、前記開口部近傍に設けられた複数の突起部と、前記複数の突起部に対応した位置にされて前記突起部が通された複数の第１スリット部と、この第１スリット部の両端から前記突起部から其々離れるように延びた第２スリット部とが設けられ、前記開口部を覆って前記光源部からの光を拡散させる拡散部材と、を具備した。【選択図】  図２５
2012064545.tif 000002
【特許請求の範囲】
【請求項１】
開口部が設けられ、チューナーが内蔵された筐体と、
前記筐体の前記開口部を覆うとともに、前記筐体内に向かって短手方向に屈曲された屈曲を有した長方形状の透明部材と、
前記筐体内から前記透明部材に向かって光を照射する光源部と、
前記透明部材両端の周縁部に沿って起立さられた複数の突起部と、
前記複数の突起部に対応した位置にされて突起部が貫通された複数の第１スリット部と、この第１スリット部の両端から其々延びた第２スリット部とが設けられ、前記透明部材を覆って前記光源部からの光を拡散させる拡散シートと、
前記第１スリット部と、この第１スリット部の両端から其々延びた第２スリット部とに囲まれた部分に位置する前記拡散シートの一部が前記突起部の挿入方向に切り起こされた切り起こし部と、
を具備したことを特徴とするチューナーボックス。
【請求項２】
前記第１スリット部には、前記突起部の断面の径より小さな径を有する円形状の開口部が設けられたことを特徴とする請求項１に記載のチューナーボックス。
【請求項３】
前記光源部が設けられた回路基板と、
前記回路基板が支持された支持部と、を更に有し、
前記支持部は、前記拡散シートを挟んで前記透明部材の周縁部を支持したことを特徴とする請求項２に記載のチューナーボックス。
【請求項４】
前記回路基板と前記拡散シートとの間に他の拡散シートが設けられたことを特徴とする請求項３に記載のチューナーボックス。
【請求項５】
開口部が設けられ、チューナーが内蔵された筐体と、
前記筐体の前記開口部を覆うとともに、前記筐体内に向かって突出された部分を有した透明部材と、
前記筐体内から前記透明部材に向かって光を照射する光源部と、
前記透明部材の周縁部に設けられた複数の突起部と、
前記複数の突起部に対応した位置にされて突起部が貫通された複数の第１スリット部と、この第１スリット部の両端から其々拡開する方向に延びた第２スリット部とが設けられ、前記透明部材を覆って前記光源部からの光を拡散させる拡散シートと、
を具備したことを特徴とするチューナーボックス。
【請求項６】
開口部が設けられた筐体と、
前記筐体の前記開口部に光を出力する光源部と、
前記開口部近傍に設けられた複数の突起部と、
前記複数の突起部に対応した位置にされて前記突起部が通された複数の第１スリット部と、この第１スリット部の両端から前記突起部から其々離れるように延びた第２スリット部とが設けられ、前記開口部を覆って前記光源部からの光を拡散させる拡散部材と、
を具備した電子機器。
【請求項７】
前記拡散部材は、前記筐体の内側に向かって曲げこまれた請求項５に記載の電子機器。
【請求項８】
前記第１スリット部には、前記突起部の断面の径より小さな径を有する円形状の開口部が設けられた請求項６に記載の電子機器。
【請求項９】
前記拡散部材は、シート状の部材であり、
前記拡散部材端部の側であって、前記第１スリット部と前記第１スリット部の両端から其々延びた第２スリット部とに囲まれた部分が前記突起部が通されことにより、該突起部の通される方向に切り起こされた状態となる請求項７に記載の電子機器。
【請求項１０】
前記光源と前記拡散部材との間に他の拡散部材が設けられた請求項７に記載の電子機器。
【発明の詳細な説明】
【技術分野】
【０００１】
本発明は、チューナーボックスおよび電子機器に関する。
【背景技術】
【０００２】
低消費電力化のためにバックライトの出射光のうち、ある偏光成分のみを透過させ、それ以外の偏光成分は反射させる偏光シートを用いた液晶表示装置が開示されている（特許文献１）。
【先行技術文献】
【特許文献】
【０００３】
【特許文献１】特開平８−１４６４１６号公報
【発明の概要】
【発明が解決しようとする課題】
【０００４】
近年、シート状の部材を取り付ける際には、例えば接着材や両面テープなどが用いられたが、これらのより簡易な実装が求められている。
【課題を解決するための手段】
【０００５】
本実施例の一つの形態は、
開口部が設けられ、チューナーが内蔵された筐体と、前記筐体の前記開口部を覆うとともに、前記筐体内に向かって短手方向に屈曲された屈曲を有した長方形状の透明部材と、
【０００６】
前記筐体内から前記透明部材に向かって光を照射する光源部と、前記透明部材両端の周縁部に沿って起立さられた複数の突起部と、前記複数の突起部に対応した位置にされて突起部が貫通された複数の第１スリット部と、この第１スリット部の両端から其々延びた第２スリット部とが設けられ、前記透明部材を覆って前記光源部からの光を拡散させる拡散シートと、前記第１スリット部と、この第１スリット部の両端から其々延びた第２スリット部とに囲まれた部分に位置する前記拡散シートの一部が前記突起部の挿入方向に切り起こされた切り起こし部と、を具備した。
【０００７】
本実施例の一つの形態は、
開口部が設けられた筐体と、前記筐体の前記開口部に光を出力する光源部と、
前記開口部近傍に設けられた複数の突起部と、前記複数の突起部に対応した位置にされて前記突起部が通された複数の第１スリット部と、この第１スリット部の両端から前記突起部から其々離れるように延びた第２スリット部とが設けられ、前記開口部を覆って前記光源部からの光を拡散させる拡散部材と、を具備した。
【図面の簡単な説明】
【０００８】
【図１】本発明の一つの実施形態に係るテレビ接続機器の斜視図。
【図２】図１中に示されたテレビ接続機器の内部を示す断面図。
【図３】図２中に示されたセル基板を示す平面図。
【図４】図１中に示されたテレビ接続機器の内部を示す断面図。
【図５】図１中に示されたテレビ接続機器の内部を示す断面図。
【図６】図１中に示されたテレビ接続機器の内部を示す斜視図。
【図７】図２中に示されたテレビ接続機器のＦ７−Ｆ７線に沿う断面図。
【図８】図２中に示されたテレビ接続機器のＦ８−Ｆ８線に沿う断面図。
【図９】図２中に示されたテレビ接続機器のＦ９−Ｆ９線に沿う断面図。
【図１０】図４中に示された放熱板を示す斜視図。
【図１１】図４中に示された放熱部材を示す斜視図。
【図１２】図５中に示されたテレビ接続機器の内部を模式的に示す断面図。
【図１３】ＬＥＤ表示部を構成する各部品の重ね順を示す斜視図。
【図１４】ＬＥＤ表示部の断面図。
【図１５】本実施例の回路基板を第１の面から見た図。
【図１６】本実施例の回路基板を第２の面から見た図。
【図１７】本実施例の支持部を第１の面から見た図。
【図１８】本実施例の支持部を第２の面から見た図。
【図１９】本実施例の第１拡散シートを第１の面から見た図。
【図２０】本実施例の第１拡散シートを第２の面から見た図。
【図２１】本実施例の第１拡散シートの実装工程を示す断面図。
【図２２】本実施例の第２拡散シートを第１の面から見た図。
【図２３】本実施例の第２拡散シートを第２の面から見た図。
【図２４】本実施例の第２拡散シートの実装工程を示す断面図。
【図２５】本実施例の第２拡散シートが透明部材に実装された状態を示す図。
【図２６】本実施例の透明部材を第１の面から見た図。
【図２７】本実施例の透明部材を第２の面から見た図。
【発明を実施するための形態】
【０００９】
以下、本発明の実施の形態を図１ないし図１２に基づいて説明する。
図１は、本発明に係る電子機器の一例であるテレビ接続機器１を示す。テレビ接続機器１は、例えば液晶テレビに接続して使用するものであり、各種テレビ番組を受信する機能や複数のテレビ番組を同時に録画する機能、長時間番組を録画する機能などを有するチューナーが内蔵されたチューナーボックスである。
【００１０】
テレビ接続機器１は、例えば扁平な箱形の筐体２を備えている。筐体２は、本体ケース３と、化粧カバー４とを有している。本体ケース３は、例えば金属製であり、上方が開放された箱形をしている。化粧カバー４は、本体ケース３を覆うように本体ケース３よりも一回り大きく形成され、下方が開放された箱形をしている。これにより、本体ケース３に対して化粧カバー４が組み合わされることで、筐体２が形成される。化粧カバー４の前面は、開閉可能なフロント扉５ａ，５ｂ、およびフロント扉５ａ，５ｂの中間に位置されるＬＥＤ表示部５ｃを有する。
【００１１】
図１に示すように、筐体２は、上壁６、周壁７、および底壁８を有する。上壁６および底壁８は、それぞれ水平に広がっている。周壁７は、底壁８に対して起立し、底壁８の周縁部と上壁６の周縁部とを繋いでいる。図２に示すように、周壁７は、前壁１１、後壁１２、左側壁１３、および右側壁１４を有する。
【００１２】
前壁１１は、第１の壁（第１の面）である。前壁１１は、いわゆるユーザー面であり、テレビを観るユーザーに向かい合う。前壁１１は、左右方向（以下、第１の方向Ｘ）に延びている。図１に示すように、前壁１１は、各種端子が差し込まれるコネクタ１６や、Ｂ−ＣＡＳ（BS-Condition Access System）カードが差し込まれる挿入口１７が設けられている。図２に示すように、前壁１１は、左端部である第１の端部１１ｂと、右端部である第２の端部１１ｂとを有する。第１の端部１１ａは、左側壁１３に繋がっている。第２の端部１１ｂは、右側壁１４に繋がっている。
【００１３】
フロント扉５ａ，５ｂは、一部材で構成されている。筐体２の前壁１１には、図示しない操作入力ボタンが配置され、ボタンフロント扉５ａ，５ｂが開き位置にある状態で外部に露出され、ボタンフロント扉５ａ，５ｂが閉じ位置にある状態では、該ボタンフロント扉５ａ，５ｂに覆われて隠れている。このような構成により、本電子機器は意匠性を向上させることできる。
【００１４】
ＬＥＤ表示部５ｃは、筐体２の開口部（開口部）５ｄから筐体２の外側に向かって照射されるＬＥＤからの光を表示し、例えばテレビ接続機器１の電源がオンとなり、動作している状態であることを示すことができる部位である。これらのＬＥＤ表示部５周辺の構成については、図１３乃至図２７を用いて後述する。
【００１５】
図２に示すように、後壁１２は、第２の壁（第２の面）である。後壁１２は、筐体２のなかで前壁１１とは反対側に位置している。後壁１２は、前壁１１と略平行に（つまり第１の方向Ｘに）延びている。後壁１２は、左端部である第１の端部１２ａと、右端部である第２の端部１２ｂとを有する。第１の端部１２ａは、左側壁１３に繋がっている。第２の端部１２ｂは、右側壁１４に繋がっている。
【００１６】
後壁１２は、第１および第２の排気孔２１，２２を有する。図２に示すように、第２の排気孔２２は、後壁１２のなかで第２の端部１２ｂに設けられている。第１の排気孔２１は、後壁１２のなかで第２の端部１２ｂに隣接する領域、例えば後壁１２の中央よりも右側に偏った位置に設けられている。第１の排気孔２１は、例えば第２の排気孔２２よりも大きい。
【００１７】
図２に示すように、左側壁１３は、第３の壁（第３の面）であるとともに、第１の側壁の一例である。左側壁１３は、筐体２の前後方向（以下、第２の方向Ｙ）に延びており、前壁１１の左縁部と後壁１２の左縁部の間に亘る。なお第１および第２の方向Ｘ，Ｙは、互いに直交する。左側壁１３は、前端部である第１の端部１３ａと、後端部である第２の端部１３ｂとを有する。第１の端部１３ａは、前壁１１に繋がっている。第２の端部１３ｂは、後壁１２に繋がっている。
【００１８】
左側壁１３は、第１および第２の吸気孔２３，２４を有する。第２の吸気孔２４は、左側壁１３の第１の端部１３ａに設けられている。第１の吸気孔２３は、第２の吸気孔２４よりも後壁１２側に設けられている。第１の吸気孔２３は、例えば第２の吸気孔２４よりも大きい。
【００１９】
図２に示すように、右側壁１４は、第４の壁（第４の面）であるとともに、第２の側壁である。右側壁１４は、筐体２のなかで左側壁１３とは反対側に位置している。右側壁１４は、筐体２の前後方向に延びており、前壁１１の右縁部と後壁１２の右縁部との間に亘る。右側壁１４は、前端部である第１の端部１４ａと、後端部である第２の端部１４ｂとを有する。第１の端部１４ａは、前壁１１に繋がっている。第２の端部１４ｂは、後壁１２に繋がっている。
【００２０】
前壁１１および右側壁１４には、吸気孔や排気孔は設けられていない。つまり本実施形態に係るテレビ接続機器１では、周壁７に開口する全ての吸気孔が左側壁１３に集められている。また、全ての排気孔が後壁１２に集められている。
【００２１】
図５および図７に示すように、底壁８は、第３の吸気孔２５を有する。第３の吸気孔２５は、後述する第１の冷却ファン２７の下方に設けられている。なお底壁８には、排気孔は設けられていない。また、上壁６には、吸気孔および排気孔は設けられていない。
【００２２】
図２および図６に示すように、筐体２は、第１のＨＤＤユニット２８を備える。図８に示すように、第１のＨＤＤユニット２８は、第１および第２のＨＤＤ３１，３２と、第１および第２のホルダ３３，３４とを有する。第１のホルダ３３は、第１のＨＤＤ３１を保持する。第２のホルダ３４は、第２のＨＤＤ３２を保持するとともに、第１のホルダ３３の上に積み上げられている。これにより、第１および第２のＨＤＤ３１，３２は、互いに上下に重ねて保持されている。
【００２３】
第１および第２のＨＤＤ３１，３２は、それぞれ「記憶媒体」の一例である。第１および第２のＨＤＤ３１，３２は、筐体２の前壁１１に沿って配置されている。第１および第２のＨＤＤ３１，３２は、筐体２の前壁１１に沿う直方体状をしている。
【００２４】
図８に示すように、第１のホルダ３３は、第１のＨＤＤ３１の下方に広がるベース部３３ａと、このベース部３３ａの両端部から起立した第１および第２の起立部３３ｂ，３３ｃとを有している。第１の起立部３３ｂは、例えば筐体２の前壁１１に対向する。第２の起立部３３ｃは、第１の起立部３３ｂとは反対側の端部に位置している。第１および第２の起立部３３ｂ，３３ｃは、第１の方向Ｘに延びており、前壁１１と平行になっている。
【００２５】
図８に示すように、第１および第２の起立部３３ｂ，３３ｃと第１のＨＤＤ３１との間には、防振体３３ｄが設けられている。防振体３３ｄは、例えばゴムダンパである。これにより、第１のＨＤＤ３１に伝わる振動が抑制されている。図８に示すように、第１のＨＤＤ３１は、第１のホルダ３３のなかで浮いた状態で保持されている。第１のＨＤＤ３１と第１のホルダ３３との間には、冷却風が流れる隙間Ｓ１が形成されている。
【００２６】
同様に、図８に示すように、第２のホルダ３４は、第２のＨＤＤ３２の下方に広がるベース部３４ａと、このベース部３４ａの両端部から起立した第１および第２の起立部３４ｂ，３４ｃとを有している。第１の起立部３４ｂは、例えば筐体２の前壁１１に対向する。第２の起立部３４ｃは、第１の起立部３４ｂとは反対側の端部に位置している。図２および図６に示すように、第１および第２の起立部３４ｂ，３４ｃは、第１の方向Ｘに延びており、前壁１１と平行になっている。
【００２７】
第１および第２の起立部３４ｂ，３４ｃと第２のＨＤＤ３２との間には、防振体３４ｄが設けられている。第２のＨＤＤ３２は、第２のホルダ３４のなかで浮いた状態で保持されている。第２のＨＤＤ３２と第２のホルダ３４との間には、冷却風が流れる隙間Ｓ２が形成されている。
【００２８】
図２および図４に示すように、筐体２は、電源回路基板３６を収容している。電源回路基板３６は、筐体２の中で右側壁１４寄りに配置されている。電源回路基板３６は、第１ないし第４電子部品３７，３８，３９，４０を実装している。第１ないし第４の電子部品３７，３８，３９，４０は、例えばトランジスタであり、発熱体である。
【００２９】
図２に示すように、第１の電子部品３７は、例えば複数個設けられ、互いに第２の方向Ｙに並んでいる。図２および図１０に示すように、第１の電子部品３７には、金属製の第１の放熱板４２が取り付けられている。第１の放熱板４２は、電源回路基板３６に例えばねじ止め固定されている。第１の放熱板４２は、電源回路基板３６に対して起立した起立部４２ａと、この起立部４２ａの先端から右側壁１４に向いて水平方向に折れ曲った折曲部４２ｂとを有する。
【００３０】
図２および図５に示すように、第１の放熱板４２は、第２の方向Ｙに延びており、右側壁１４と平行になっている。第１の電子部品３７は、例えば第１の放熱板４２との間にグリースなどを介在させるとともに、第１の放熱板４２にねじで固定され、第１の放熱板４２に熱接続されている。
【００３１】
図２に示すように、第２の電子部品３８には、金属製の第２の放熱板４３が取り付けられている。第２の放熱板４３は、電源回路基板３６に例えばねじ止め固定されている。第２の放熱板４３は、第２の方向Ｙに延びており、右側壁１４と平行になっている。第２の電子部品３８は、第１の電子部品３７と同様に、第２の放熱板４３にねじで固定され、第２の放熱板４３に熱接続されている。
【００３２】
図４に示すように、第３の電子部品３９は、第１および第２の電子部品３７，３８に比べて、前壁１１の近くで、且つ、左側壁１３の近くに配置されている。第３の電子部品３９は、例えば複数個設けられ、互いに第１の方向Ｘに並んでいる。図４および図１１に示すように、第３の電子部品３９には、金属製の放熱部材４４が取り付けられている。放熱部材４４は、電源回路基板３６に例えばねじ止め固定されている。
【００３３】
放熱部材４４は、第１の方向Ｘに延びており、前壁１１と平行になっている。放熱部材４４は、第１の方向Ｘに沿って延びた複数の凸部４４ａを有し、放熱面積が大きく確保されている。第３の電子部品３９は、第１の電子部品３７と同様に、放熱部材４４にねじで固定され、放熱部材４４に熱接続されている。
【００３４】
図４に示すように、第４の電子部品４０は、第３の電子部品３９と同様に、第１および第２の電子部品３８に比べて、前壁１１の近くで、且つ、左側壁１３の近くに配置されている。第４の電子部品４０は、例えば複数個設けられ、互いに第１の方向Ｘに並んでいる。図４および図１１に示すように、第４の電子部品４０には、金属製の第３の放熱板４５が取り付けられている。第３の放熱板４５は、電源回路基板３６に例えばねじ止め固定されている。
【００３５】
第３の放熱板４５は、電源回路基板３６に対して起立した起立部４５ａと、この起立部４５ａの先端から前壁１１に向いて水平方向に折れ曲り、放熱部材４４に接続された折曲部４５ｂとを有する。第３の放熱板４５は、放熱部材４４に熱接続されている。
【００３６】
図４および図１１に示すように、第３の放熱板４５は、第１の方向Ｘに延びており、前壁１１と平行になっている。第４の電子部品４０は、例えば第１の電子部品３７と同様に、第３の放熱板４５にねじで固定され、第３の放熱板４５に熱接続されている。
【００３７】
以上のように、筐体２の内部には、第１の方向Ｘに沿って、第１および第２のホルダ３３，３４の起立部３３ｃ，３４ｃおよび放熱部材４４が延びている。また、第２の方向Ｙに沿って、第１および第２の放熱板４２，４３が延びている。これらの部材３３ｃ，３４ｃ，４２，４３，４４により隔壁４８が形成され、筐体２の中は、図１２に模式的に示すように、実質的に２つの部屋５１，５２に仕切られている。
【００３８】
第１の部屋５１は、左側壁１３の一部、後壁１２の一部、第１および第２のホルダ３３，３４の起立部３３ｃ，３４ｃ、第１および第２の放熱板４２，４３、および放熱部材４４によって規定され、略長方形状をしている。第２の部屋５２は、前壁１１、右側壁１４、第１および第２のホルダ３３，３４の起立部３３ｃ，３４ｃ、第１および第２の放熱板４３、および放熱部材４４によって規定され、前壁１１および右側壁１４に沿った略Ｌ字形状をしている。
【００３９】
以下、図１３乃至図２７を参照しながら、本実施例の前壁１１に設けられたＬＥＤ表示部５ｃの構成及びこれを構成するための各部材の構成をについて説明する。
先ず、図１３及び図１４を参照しながらＬＥＤ表示部５ｃの構成を説明する。図１３は、ＬＥＤ表示部を構成する各部品の重ね順を示す斜視図である。図１４は、ＬＥＤ表示部の断面図である。
【００４０】
図１３及び図１４に示すように、ＬＥＤ表示部５ｃは、ＬＥＤが実装された光源部（第１乃至第３光源部、発光部）２０１ａ，２０１ｂ，２０１ｃを有する回路基板（基板、プリント配線板）２０１と、回路基板２０１を支持する支持部材（支持部、支持台、保持部）２０２と、光源部（第１乃至第３光源部）２０１ａ，２０１ｂ，２０１ｃから出力された光を拡散させる第１拡散シート（拡散部、拡散部材、透過部、透過シート、シート、覆い部）２０３と、第２拡散シート（拡散部、拡散部材、透過部、透過シート、シート、覆い部）２０４と、前壁１１に設けられた開口部５ｄを覆った透明部材（透明部、シート）２０５と、を有する。
【００４１】
図１４に示すように、支持部２０２は、第１光源部２０１ａと、第２光源部２０１ｂと、第３光源部２０１ｃからの光が開口部５ｄ及び透明部材２０４に向かって放たれる方向で回路基板２０１を支持する。第１拡散シート２０３と第２拡散シート２０４とは、其々断面が円弧状となるように曲げられ手実装されている。
【００４２】
図１４に示すように、回路基板２０１は、支持部２０２に支持されることで透明部材２０５と及び開口部５ｄから一定距離で離間されている。この構成により、回路基板２０１に設けられた光源部２０１ａ，２０１ｂ，２０１ｃは、回路基板２０１が実装された位置から光を照射すると、自身の指向性から一定の広がりを有して透明部材２０５と及び開口部５ｄから筐体２外へ透過する。第１拡散シート２０３は、各光源部２０１ａ，２０１ｂ，２０１ｃを仕切るようにウェービングしている。即ち、各光源部２０１ａ，２０１ｂ，２０１ｃの一つずつを包むように波打って曲げられて支持部２０２内に収容されている。
【００４３】
このような構成により、光源部２０１ａ，２０１ｂ，２０１ｃから発せられた其々の光は、互いに交錯する位置で、一度、第１拡散シート２０３を通過して交わるため、各光源からの光が其々広がり、各方向へ散らばる光の光量が均一化される。また、光源部２０１ａ，２０１ｂ，２０１ｃから発せられた其々の光は、第１拡散シート２０３を通過した後で、第２拡散シート２０４を通過して透明部材２０５に達する。即ち、光源部２０１ａ，２０１ｂ，２０１ｃからの光は、２つの拡散部材に拡散される。このような構成により、筐体２に出て行く際には、ＬＥＤ表示部５ｃ全体にほぼ満遍なく広がる構成となる。
【００４４】
図１３及び図１４に示すように、第１拡散シート２０３と第２拡散シート２０４とは、互いに曲げられる方向が異なる。例えば、本実施例の構成では、第１拡散シート２０３が筐体２の厚み方向に屈曲されており、第２拡散シート２０４は、筐体２の幅方向に屈曲されている。このような構成により、光源部２０１ａ，２０１ｂ，２０１ｃから発せられた其々の光は、少なくとも上下左右の各方向に拡散され、光量が均等化する。これらにより、開口部５ｄからのＬＥＤの光を均等にぼやけさせることが可能となり、デザインのバリエーションを増やし、意匠の幅を広げることができる。例えば、ＬＥＤの光に強弱を付けて、加飾を施したい場合、拡散部材を単純に重ねて光の光量を調整する方法が考えられるが、これでは、拡散部材の部品点数が多くなり費用も増す。しかしながら、本実施の形態では、２枚の拡散部材の配置形態を工夫して効率よく光を散らすため、比較的少ない拡散部材の枚数であっても十分な効果を得ることができる。
【００４５】
次に、図１５及び図１６を参照しながら本実施例の回路基板２０１の構成を説明する。図１５は、本実施例の回路基板を第１の面から見た図である。図１６は、本実施例の回路基板を第２の面（第１の面の裏側）から見た図である。
【００４６】
図１５及び図１６に示すように、回路基板２０１は、前壁１１に面した第１面２０１Ａと、この第１面２０１Ａとは反対側に位置された第２面２０１Ｂとを有し、筐体２の厚み方向が長手方向となる長方形状を有する。回路基板２０１の両端部には、支持部２０２の位置決め突起２０２１，２０２２が其々嵌め込まれる切欠き部２０１１，２０１２が設けられている。
【００４７】
図１６に示すように、回路基板２０１には、第１光源部２０１ａと、第２光源部２０１ｂと、第３光源部２０１ｃとが長手方向に略等間隔に並べて実装されている。第１光源部２０１ａと、第２光源部２０１ｂと、第３光源部２０１ｃとは、回路基板２０１の短手方向の中央部分に設けられる。第１光源部２０１ａと第２光源部２０１ｂとの間に位置する中間部２０１ａｂ、および第２光源部２０１ｂと第３光源部２０１ｃとの間に位置する中間部２０１ｂｃには、基板の製品番号や製造メーカ名がシルク印刷され、電子部品が実装されていない。
【００４８】
次に、図１７及び図１８を参照しながら本実施例の支持部２０２の構成を説明する。図１７は、本実施例の支持部を第１の面から見た図である。図１８は、本実施例の支持部の第２の面（第１の面の裏側）から見た図である。
【００４９】
図１７及び図１８に示すように、支持部２０２は、第１光源部２０１ａと、第２光源部２０１ｂと、第３光源部２０１ｃからの光を開口部５ｄ及び透明部材２０４に導く導光部材として、空洞の筒形状を有する。支持部２０２は、上壁２０２Ａ、下壁２０２Ｂ、左右両面から上壁２０２Ａ，下壁２０２Ｂに其々亘る側壁２０２Ｃ，２０２Ｄ、前壁１１と当接される前壁２０２Ｅ、および回路基板２０１が載置・支持される支持壁２０２Ｆを有する。側壁２０２Ｃ，２０２Ｄは、それぞれ、筐体２の内側から外側に向かって拡開するように互いに距離を置いて延びている。このような構成により、左右の方向へ光を広げることが可能となる。
【００５０】
図１７に示すように、支持壁２０２Ｆには、回路基板２０１の切欠き部２０１１，２０１２に嵌め込まれる突起２０１１，２０１２と、回路基板２０１と係合するフック２０２３と、前壁１１の開口部５ｂと対向した導光開口部２０２Ｆ１とが設けられる。導光開口部２０２Ｆ１の周縁には、第１拡散シート２０３を支持する複数の支持部２０２Ｆ２が設けられる。支持部２０２Ｆ２は、回路基板２０１の中間部２０１ａｂ及び中間部２０１ｂｃに対応する位置に設けられる。
【００５１】
このような構成により、第１の拡散シート２０３を回路基板２０１の中間部２０１ａｂ及び中間部２０１ｂｃに対応する位置で曲げた状態に保持することが可能となる。回路基板２０１の中間部２０１ａｂ及び中間部２０１ｂｃは、基板表面から突出するような実装高が大きい電子部品は実装されておらず、上述したシルク印刷などが施された領域である。このため、第１の拡散シート２０３が変形して屈曲部の曲率が変化することをさけることができる。
【００５２】
図１７に示すように、支持部２０２Ｆ２は、導光開口部２０２Ｆ１の内壁から突出した突出部（突起）として設けられ、回路基板２０１上に実装された電子部品と干渉されない。また、導光開口部２０２Ｆ１内に第１の拡散シート２０３を畳んで設ける際に作業者の指を長手方向に通すことが可能となり作業性が良い。
【００５３】
図１８に示すように、前壁２０２Ｅには前壁１１に溶着接合されるための溶着孔２０２Ｅ１が設けられる。前壁２０２Ｅは、側壁２０２Ｃ，２０２Ｄの前壁１１に対向する部位に連続されており、開口部５ｄの両端の領域と長手方向に沿って其々対向している。図１３に示すように２つの前壁２０２Ｅの間には透明部材２０５の筐体２内側に向かって凹んだ部分（屈曲部、曲げ部、凹部）が位置される。
【００５４】
次に、図１９乃至図２１を参照しながら本実施例の第１の拡散シートの構成を説明する。図１９は、本実施例の第１拡散シートを第１の面から見た図である。図２０は、本実施例の第１拡散シートの第２の面（第１の面の裏側）から見た図である。図２１は、本実施例の第１拡散シートの実装される工程を示した図である。
【００５５】
図１９乃至図２１に示すように、第１拡散シート２０３は、長方形状を有し、回路基板２０１に対向した第１面２０３ａ、第１面２０３ａとは反対側に位置されて透明部材２０５と対向する第２面２０３ｂと、導光開口部２０２Ｆ１近傍で支持部２０２に取り付けられるための取付部（引っかけ部、係合部、延出部）２０３ｃと、ミシン目が施され、第１拡散シート２０３を鋭角状に形成するように折り曲げるための屈曲部（鋭角部、角部、折部）２０３ｄとを有している。
【００５６】
図２１に示すように、屈曲部２０３ｄは、第１拡散シート２０３が支持部２０２に取り付けられた状態で筐体２内に向かって飛び出した状態となっている。ここで、支持部２０２に回路基板２０１を取り付けた場合、この突出した屈折部２０３ｄが押圧され、屈折部２０３ｄの長手方向の前後が押し広げられる。
【００５７】
このような構成により、可撓性を有しながらもある程度の剛性を有した拡散シート２０３が、波打って曲げられた姿勢を維持して支持部２０２内に収まることができる。本来、第１拡散シート２０３には、光を拡散させるための厚みを有し、弾性によって元の状態に戻ろうとする復元力が働く。例えば、ミシン目を有して他の領域よりも柔軟性を持たせた部分を持たせない場合、拡散シート２０３の復元力のため、該シートを支持部２０２内に複数回折り曲げて納めるのは困難となる。
【００５８】
本実施例では、第１拡散シート２０３にミシン目を設けることで一部の復元力を弱め、その変形を容易にさせる。また、回路基板２０１の実装を利用し、第１拡散シート２０３の鋭角部分を押さえつけることで、第１拡散シートは自身の弾性（復元力）で断面が均等な曲線を描くような正位置に保持される。
【００５９】
また、図２０に示す通り、本実施例では、第１拡散シート２０３の回路基板２０１と向かい合う側に複数の折り目を有している。このような構成により、ある程度の剛性を保持し、復元力の強いシートであっても加工がしやすくなり、正位置に保持する際の作業性が向上される。
【００６０】
上述した通り本実施例では、第１拡散シート２０３を長手方向に蛇行させるように曲げている。図２１に示すように回路基板２０１から離れた位置で断面がドーム状になるように各光源を覆っている。このような構成により、各光源からの光を均等に拡散させることができ、筐体２の外部から開口部５ｄを見たときに各光源の輪郭が明確に表示されることがない。また、取付部２０３ｃは、短冊状に延びた形状を有するとともに、その根元には支持部２０３の突起部２０２Ｆ２に係合される孔部２０３ｃ１が設けられる。このような構成にすることで、突起部２０２Ｆ２に係合されるとともに、例えば短冊状に延びた取付部２０３ｃを作業者が引っ張ることで第１拡散シートの姿勢を正位置に定めたり、視認したりすることが可能となる。
【００６１】
次に、図２２乃至図２５を参照しながら本実施例の第２の拡散シートの構成を説明し、図２６乃至図２７を参照しながら本実施例の透明部材の構成を説明する。図２２は、本実施例の第２拡散シートを第１の面から見た図である。図２３は、本実施例の第２拡散シートの第２の面（第１の面の裏側）から見た図である。図２４は、本実施例の第２拡散シートのスリット部を示した図である。図２５は、本実施例の第２拡散シートを透明部材に仮止めした状態を示した図である。図２６は、本実施例の透明部材を第１の面から見た図である。図２７は、本実施例の透明部材の第２の面（第１の面の裏側）から見た図である。
【００６２】
図２２及び図２３に示すように、第２拡散シート２０４は、長方形状を有し、回路基板２０１に対向した第１面２０４ａ、第１面２０４ａとは反対側に位置され透明部材２０５と対向する第２面２０４ｂと、長手方向の一端部（周縁部、縁部、端面）２０４ｃと、この一端部とは反対側に位置される長手方向の他端部（周縁部、縁部、端面）２０４ｄと、を有する。これらの端部には、透明部２０５に設けられた複数の突起部２０５ｅと対応した切れ目（スリット部、切部、割れ目部）２０４ｅが設けられる。
【００６３】
図２４に示すように、切れ目部２０４ｅには、第１のスリット部２０４ｅ１と、この第１のスリット部２０４ｅ１の両端から外側に向かって拡開するように其々切り開かれた第２スリット部２０４ｅ２と、第１のスリット部２０４ｅ１の中央部にもうけられて突起部２０５ｅの断面の径よりも小さな径を有した円形状の切り抜き部（切欠き部、開口部、孔部）２０４ｅ３とが設けられる。
【００６４】
図２６及び図２７に示すように、透明部材２０５は、長方形状を有し、回路基板２０１に対向した第１面２０５ａ、第１面２０５ａとは反対側に位置される第２面２０５ｂと、筐体２の内部に向かって突出した部分（屈曲部、屈折部、突出部）２０５ｃと、前壁１１と当接する面を有するとともに開口部５ｄの両端に沿って延びた縁部２０５ｄと、縁部２０５ｄの筐体２の内側を向いた面から突出した部分（突起、突出部、止め部、係合部、支持部）２０５ｅを有する。
【００６５】
図２５に示すように、第２拡散シート２０４が透明部２０５に実装された状態、即ち、透明部２０５に設けられた複数の突起部２０５ｅが、第１のスリット部２０４ｅ１の切り抜き部２０４ｅ３に通された状態では、第１のスリット部２０４ｅ１と、この第１のスリット部２０４ｅ１の両端に設けられた第２スリット部２０４ｅ２とに囲まれた領域が切り起こされた形態で維持される。
【００６６】
図２６及び図２７に示すように透明部２０５は、筐体２の内部に向かって突出した屈曲部２０５ｃを有する。第２拡散シート２０４は、透明部２０５に沿って重ねられた際に、屈曲部２０５ｃに押圧されて変形し、筐体２の内部に向かって突出した形状となる。上述した通り、第１拡散シート２０３と同様、第２拡散シート２０４には、光を拡散させるための厚みを有し、元の状態に戻ろうとする復元力（弾性力）が働く。第２拡散シート２０４が透明部２０５に沿って重ねられた際、第２拡散シート２０４は、元の状態（平坦なシートの状態）に戻ろうとして、切れ目部２０４ｅから透明部材２０５の突起部２０５ｃが抜けられる方向に復元力が働く。しかしながら、本実施例の構成では、第１のスリット部２０４ｅ１と、この第１のスリット部２０４ｅ１の両端に設けられた第２スリット部２０４ｅ２とに囲まれた領域Ｓが切り起こされた形態での突起部２０５ｃに当接されているため、復元力によって該突起部２０５ｃから引き抜かれる方向に抵抗（摩擦）が大きくなる構成となる。これにより、たとえば、両面テープや接着材を用いなくても第２拡散シート２０４を透明部２０５に止めることができ、リペア性及び組み立て・解体作業効率が向上される。
【００６７】
図１３及び図１４に示すように、第２拡散シート２０４が、透明部２０５に仮止めされた後には、その上から支持部２０２が重ねられ、該支持部２０２が筐体２の開口部５ｄ近傍の内面に溶着される。本実施例では、支持部２０２は、第２拡散シート２０４を間に挟みこんで透明部２０５に重畳されるため、両面テープや接着材を用いなくても第２拡散シート２０４を透明部２０５に強固に止めることが出来る。
【００６８】
尚、ここではシートの仮止めの構成を、第２拡散シートを用いて説明したが、これに限らず可撓性を有するシート（例えば、インシュレータ、フレキシブルプリント配線板、シート状の部位を有するアンテナ等）の仮実装作業に応用可能である。
【００６９】
また、ここでは第１及び第２拡散シートは、少しでも光を拡散させることが出来ればよく、本来「拡散シート」として扱われる部材でなくても、本実施例のシートのように可撓性を有し、光源と筐体２の開口部との間に位置し、光の光量を下げる働きを有するものであれば代用可能である。例えば、回路基板に用いられるインシュレータなどであっても良い。
【００７０】
次に、筐体２の内部構造に戻り、第１の部屋５１の実装構造について説明する。
図２、図４および図１２に示すように、第１の部屋５１は、第１の吸気孔２３、第３の吸気孔２５、および第１の排気孔２１に連通している。第１の部屋５１には、ヒートシンク５４、第１の冷却ファン２７、セル基板５５（メイン基板）、チューナー基板５６、および画像処理基板５７が配置されている。図７に示すように、セル基板５５（メイン基板）、チューナー基板５６、および画像処理基板５７は、互いに重ねて配置されている。
【００７１】
図２は、セル基板５５が搭載された状態の筐体２の内部を示す。図４は、セル基板５５を取り外した状態の筐体２の内部を示す。図５は、第１の冷却ファン２７を取り外すとともに、説明の便宜上、隔壁４８を形成する部材を断面にしたものである。
【００７２】
図４に示すように、ヒートシンク５４および第１の冷却ファン２７は、第１の部屋５１の最も右側に配置され、第３の吸気孔２５の上方に位置している。ヒートシンク５４は、第１の冷却ファン２７と第１の排気孔２１との間に位置し、第１の排気孔２１に対向している。ヒートシンク５４は、複数のフィンを有したフィンユニットである。
【００７３】
第１の冷却ファン２７は、両面吸気タイプの遠心ファンである。第１の冷却ファン２７は、後述する第２および第３の冷却ファン５８，５９よりも大型であり、高い冷却機能を有する。図７に示すように、第１の冷却ファン２７は、ファンケース６１と、羽根車６２とを有する。羽根車６２は、ファンケース６１に収容され、回転駆動される。ファンケース６１は、インナーケース６３と、アウターケース６４とを含む。
【００７４】
インナーケース６３は、上面６５、下面６６、および側面６７を有する。上面６５は、第１の吸込口６８を有している。下面６６は、第２の吸込口６９を有している。図４に示すように、側面６７は、吐出口７０を有している。吐出口７０は、ヒートシンク５４に対向する。第１の冷却ファン２７は、第１および第２の吸込口６８，６９から空気を吸い込むとともに、その吸い込んだ空気を吐出口７０から吐出する。
【００７５】
アウターケース６４は、保持部７１と、ダクト部７２とを有する。保持部７１は、インナーケース６３よりも一回り大きく形成され、上方および後方が開放された箱形をしている。インナーケース６３は、保持部７１の内側に収められている。これにより、第１の吸込口６８および吐出口７０が筐体２内に（第１の部屋５１内に）開口している。第１の冷却ファン２７は、第１の吸込口６８を通じて第１の部屋５１の空気を吸い込む。
【００７６】
ダクト部７２は、保持部７１と筐体２の底壁８との間に設けられている。ダクト部７２は、筒状をしており、第３の吸気孔２５を取り囲んでいる。第１の冷却ファン２７の第２の吸込口６９は、ダクト部７２を通じて、筐体２の底壁８の第３の吸気孔２５に通じている。換言すれば、第２の吸込口６９は、アウターケース６４によって筐体２の内部から遮断され、筐体２内の空気（第１の部屋５１の空気）を吸えないようになっている。第１の冷却ファン２７の第２の吸込口６９は、筐体２の底壁８の第３の吸気孔２５を通じて筐体２の外部の空気を吸い込む。
【００７７】
つまり第１の冷却ファン２７は、第１の部屋５１の空気を吸い込むとともに、第３の吸気孔２５を通じて筐体２の外部の空気を吸い込み、それら空気をヒートシンク５４に向けて吐出する。
【００７８】
図２および図５に示すように、ヒートシンク５４の右端面５４ａ、および第１の冷却ファン２７のファンケース６１の右端面６１ａは、第２の方向Ｙに延びており、右側壁１４と平行になっている。このヒートシンク５４の右端面５４ａ、および第１の冷却ファン２７のファンケース６１の右端面６１ａは、隔壁４８の一部を形成している。
【００７９】
図３は、セル基板５５を示す。セル基板５５は、第１の回路基板の一例である。セル基板５５には、セルプロセッサ７４と、Ｉ／Ｏコントローラ７５とが実装されている。セルプロセッサ７４は、第１の発熱体の一例である。セルプロセッサ７４は、例えば約５０Ｗの消費電力を有し、テレビ接続機器１の中で最も発熱する。Ｉ／Ｏコントローラ７５は、約１５Ｗの消費電力を有する。セル基板５５は、全体で約１００Ｗの消費電力を有し、テレビ接続機器１の中で最も発熱する回路基板である。セルプロセッサ７４およびＩ／Ｏコントローラ７５は、それぞれヒートパイプ７６ａ，７６ｂ，７６ｃによりヒートシンク５４に熱接続されている。
【００８０】
図７に示すように、セル基板５５は、３つの基板５５，５６，５７のなかで最も上方に配置されている。セル基板５５は、第１の冷却ファン２７よりも上方に位置している。セル基板５５は、第１の冷却ファン２７の第１の吸込口６８の少なくとも一部に対向している。セル基板５５は、第１の排気孔２１と第１の冷却ファン２７の第１の吸込口６８との間に亘って広がり、第１の部屋５１の天井を形成している。
【００８１】
図７に示すように、セル基板５５は、第１の冷却ファン２７に対向した第１の基板面５５ａと、この第１の基板面５５ａの裏側に形成され、筐体２の上壁６に対向した第２の基板面５５ｂとを有する。第１の基板面５５ａは、第１の吸気孔２３から前記第１の冷却ファン２７に向けて空気を導く第１の導風路Ｄ１（主導風路）の一面を規定する。つまり、第１の冷却ファン２７が駆動されることで、この第１の基板面５５ａに沿って冷却風が流れる。セルプロセッサ７４およびＩ／Ｏコントローラ７５は、第１の基板面５５ａに実装され、上記冷却風に晒されるようになっている。
【００８２】
一方で、第２の基板面５５ｂには、セルプロセッサ７４およびＩ／Ｏコントローラ７５を越えるような大きな発熱体は実装されていない。つまりセル基板５５は、積極的な冷却が必要な発熱量の大きな部品を第１の基板面５５ａに集中して実装している。
【００８３】
図２および図７に示すように、セル基板５５の端部を支持するブラケット７７が設けられている。ブラケット７７は、筐体２に固定されるとともに、第１の冷却ファン２７の上方に延びており、第１の冷却ファン２７の第１の吸込口６８に対向している。ブラケット７７は、セル基板５５の端部よりも第１の吸気孔２３とは反対側に張り出している。これにより、上記第１の導風路Ｄ１が延長されている。
【００８４】
チューナー基板５６は、第２の回路基板の一例である。チューナー基板５６には、チューナー８１が実装されている。チューナー８１は、第２の発熱体の一例である。チューナー８１は、セルプロセッサ７４（第１の発熱体）に比べて発熱量が小さい。チューナー基板５６は、３つの回路基板５５，５６，５７のなかで真ん中の高さに位置している。チューナー基板５６は、水平方向において第１の冷却ファン２７と並んでいる。
【００８５】
チューナー基板５６は、セル基板５５に対向した第１の基板面５６ａと、この第１の基板面５６ａの裏側に形成され、画像処理基板５７に対向した第２の基板面５６ｂとを有する。第１の基板面５６ａは、セル基板５５とは反対側から第１の導風路Ｄ１に向かい合い、第１の導風路Ｄ１の他の一面を規定している。換言すればセル基板５５とチューナー基板５６との間の隙間が、第１の導風路Ｄ１となる。第１の冷却ファン２７が駆動されることで、この第１の基板面５６ａに沿って冷却風が流れる。チューナー８１は、第１の基板面５６ａに実装され、上記冷却風に晒されるようになっている。
【００８６】
第２の基板面５６ｂには、チューナー８１を越えるような大きな発熱体は実装されていない。つまりチューナー基板５６は、積極的な冷却が必要な発熱量の大きな部品を第１の基板面５６ａに集中して実装している。
【００８７】
画像処理基板５７は、第３の回路基板の一例である。画像処理基板５７には、画像処理チップ８２が実装されている。画像処理チップ８２は、第３の発熱体の一例である。画像処理チップ８２は、セルプロセッサ７４（第１の発熱体）やチューナー（第２の発熱体）に比べて発熱量が小さい。画像処理基板５７は、３つの回路基板５５，５６，５７のなかで最も下方に位置している。つまり、画像処理基板５７は、チューナー基板５６に対してセル基板５５とは反対側に位置している。
【００８８】
画像処理基板５７は、チューナー基板５６に対向した第１の基板面５７ａと、この第１の基板面５７ａの裏側に形成され、筐体２の底壁８に対向した第２の基板面５７ｂとを有する。この画像処理基板５７の第１の基板面５７ａと、チューナー基板５６の第２の基板面５６ｂとの間の隙間が、第１の吸気孔２３から第１の冷却ファン２７へ向けて空気を導く第２の導風路Ｄ２（副導風路）となる。画像処理チップ８２は、第１の基板面５７ａに実装され、第２の導風路Ｄ２を通過する冷却風に晒されるようになっている。
【００８９】
なお、第１および第２の導風路Ｄ１，Ｄ２を比較すると、第１の導風路Ｄ１の方が第１の冷却ファン２７の第１の吸込口６８に近いため、より多くの空気が流れる。つまり、本実施形態では、３つの回路基板５５，５６，５７を、高温になりやすい順に上から並べ、より高温になりやすい２つの回路基板５５，５６が第１の導風路Ｄ１に臨む。
【００９０】
次に、第２の部屋５２の実装構造について説明する。
図５および図１２に示すように、第２の部屋５２は、第２の吸気孔２４および第２の排気孔２２に連通している。第２の部屋５２には、第２および第３の冷却ファン５８，５９、前述の第１のＨＤＤユニット２８、第２のＨＤＤユニット９１、Ｂ−ＣＡＳユニット９２、および電源回路部品９３が配置されている。
【００９１】
第１のＨＤＤユニット２８、第２のＨＤＤユニット９１、Ｂ−ＣＡＳユニット９２、および電源回路部品９３は、セルプロセッサ７４やチューナー８１に比べて発熱量が小さく、耐熱性が弱い部品である。第２および第３の冷却ファン５８，５９は、軸流ファンである。第２および第３の冷却ファン５８，５９は、第１の冷却ファン２７に比べて小型で、冷却機能が低い。
【００９２】
図５および図１２に示すように、第２の冷却ファン５８は、第２の排気孔２２に対向している。第２の冷却ファン５８は、第２の部屋５２に開口した吸込口９５と、第２の排気孔２２に対向した吐出口９６とを有する。第２の冷却ファン５８は、第２の部屋５２の空気を吸い込み、その吸い込んだ空気を第２の排気孔２２に向けて吐出し、筐体２の外部に排気する。
【００９３】
一方、第３の冷却ファン５９は、第２の吸気孔２４に対向している。第３の冷却ファン５９は、第２の吸気孔２４に対向した吸込口９７と、第２の部屋５２に開口した吐出口９８とを有する。
【００９４】
第３の冷却ファン５９は、第２の吸気孔２４を通じて筐体２の外部の空気を吸い込み、その吸い込んだ空気を第２の部屋５２に吐出する。これにより、第２の部屋５２は、前壁１１および右側壁１４に沿って冷却風がＬ字状に流れる。
【００９５】
図８および図９に示すように、第１のＨＤＤユニット２８の第１のホルダ３３は、脚部３３ｅを有し、ベース部３３ａを筐体２の底壁８から浮かした位置で保持する。これにより、第１のＨＤＤ３１と筐体２の底壁８との間に冷却風が通る隙間Ｓ３が形成されている。
【００９６】
図６および図９に示すように、第２のＨＤＤユニット９１は、支持台１０１、第３および第４のＨＤＤ１０２，１０３、および第３および第４のホルダ１０４，１０５を備える。支持台１０１は、水平に広がる天板１０１ａと、この天板１０１ａを支える脚部１０１ｂを有する。これにおり、支持台１０１の天板１０１ａと筐体２の底壁８との間に冷却風が通る隙間Ｓ４が形成されている。
【００９７】
第３のホルダ１０４は、第３のＨＤＤ１０２を保持する。第４のホルダ１０５は、第４のＨＤＤ１０３を保持するとともに、第３のホルダ１０４の上に積み上げられている。これにより、第３および第４のＨＤＤ１０２，１０３は、互いに上下に重ねて保持される。
【００９８】
第３および第４のＨＤＤ１０２，１０３は、それぞれ「記憶媒体」の一例であり、筐体２の前壁１１に沿って配置されている。第３および第４のＨＤＤ１０２，１０３は、筐体２の前壁１１に沿う直方体状をしている。
【００９９】
Ｂ−ＣＡＳユニット９２は、例えば地上波デジタル放送、ＢＳデジタル放送、ＣＳデジタル放送などをテレビ等で受信する際に必要なＢ−ＣＡＳカードを差し込んで保持する。本実施形態に係るＢ−ＣＡＳユニット９２は、互いに積み上げられた複数の回路基板１０７を有する。この複数の回路基板１０７は、それぞれＢ−ＣＡＳカードが差し込まれるコネクタ１０８を有する。これら複数の回路基板１０７は、冷却風が流れる隙間Ｓ５を互いの間に空けている。
【０１００】
図５に示すように、電源回路部品９３は、電源回路基板３６に実装されている。電源回路部品９３は、例えば第１の放熱板４２と右側壁１４との間に配置されている。
【０１０１】
図６に示すように、放熱部材４４の上方には、フィルム状のインシュレータ１０９が設けられている。インシュレータ１０９は、起立するとともに、第１の方向Ｘに延びている。インシュレータ１０９は、隔壁４８の一部を形成している。また図５に示すように、第３の放熱板４５は、隔壁４８の一部を形成し、第１の部屋５１から第２の部屋５２へ向かおうとする空気の流れの一部を遮る。
【０１０２】
次に、テレビ接続機器１の作用について説明する。
上記構成を有したテレビ接続機器１では、発熱量が大きなセルプロセッサ７４やチューナー８１が第１の部屋５１に収容されている。一方で、ＨＤＤ３１，３２，１０２，１０３など耐熱性が弱い他の電子部品が第２の部屋５２に収容されている。そして、第１および第２の部屋５１,５２の間が隔壁４８で隔てられており、第１の部屋５１で暖められた空気が第２の部屋５２になるべく流入しないようになっている。
【０１０３】
これにより、発熱体からの熱が耐熱性の弱い電子部品に伝達しにくくなっている。つまり、耐熱性の弱い電子部品と、発熱量の高い発熱体とが熱的に接続されることを回避し、耐熱性の弱い電子部品の機能低下を抑制する。
【０１０４】
そして、大きな冷却機能を有する第１の冷却ファン２７が第１の部屋５１に配置されている。第１の冷却ファン２７は、第１の吸込口６８を通じて第１の部屋５１の空気を吸うことで、第１の吸気孔２３を通じて筐体２の外部の空気を第１の部屋５１に流入させる。この流入した空気は、第１および第２の導風路Ｄ１，Ｄ２を流れる過程で各種発熱体７４，７５，８１，８２の熱を奪う。
【０１０５】
さらに第１の冷却ファン２７は、第２の吸込口６９を通じて筐体２の外部の冷たい空気（暖められていない外気）を吸い込む。そしてこれらの空気をヒートシンク５４に向けて吐出し、ヒートシンク５４を冷却する。これにより発熱体７４，７５の冷却が促進される。
【０１０６】
一方で、第２の部屋５２では、第２および第３の冷却ファン５８，５９により、前壁１１および右側壁１４に沿って冷却風がＬ字状に流れる。この冷却風が第１および第２のＨＤＤユニット２８，９１、Ｂ−ＣＡＳユニット９２、および電源回路部品９３の周囲を通過することで、これら部品２８，９１，９２，９３が冷却される。
【０１０７】
ここで、第１および第２のＨＤＤユニット２８，９１の下方に隙間Ｓ３，Ｓ４が形成されていると、冷却風がこの隙間Ｓ３，Ｓ４を通ってＢ−ＣＡＳユニット９２が収容された筐体２の比較的奥まで容易に流れる。またＢ−ＣＡＳユニット９２の複数の回路基板１０７の間に隙間Ｓ５が形成されていると、冷却風がより下流へ向けて容易に流れる。
【０１０８】
このような構成のテレビ接続機器１によれば、冷却効率を向上させることができる。すなわち、筐体２の中を、発熱量が大きなセルプロセッサ７４を収容した第１の部屋５１と、耐熱性が弱いＨＤＤ３１，３２，１０２，１０３を収容した第２の部屋５２とに仕切る隔壁４８を備えることで、第１および第２の部屋５１,５２の間の熱の移動を抑制することができる。そして、第１および第２の部屋５１,５２に、各部屋の冷却基準を満たす冷却ファン２７，５８，５９を配置することで、機器全体として過不足が少ない効率的な冷却を実現することができる。
【０１０９】
発熱量が大きなセルプロセッサ７４に熱接続されたヒートシンク５４を第１の部屋５１に配置し、第１の冷却ファン２７が筐体２の外部から冷たい空気（筐体２内で暖められていない空気）を吸い込んで、その冷たい空気でヒートシンク５４を冷却することで、ヒートシンク５４を効率的に冷却することができる。
【０１１０】
ここで、第１の冷却ファン２７は、第２の吸込口６９が筐体２の外部から空気を吸い込むため、例えば上下の両方の吸込口が筐体２内に開口した冷却ファンに比べて、筐体２内の空気の吸込量は落ちる。そのため、例えば上下の両方の吸込口が筐体２内に開口した同じ大きさの冷却ファンを備える場合に比べて、筐体２内で空気が滞留することも考えられる。
【０１１１】
しかしながら、本実施形態では、耐熱性の弱い部品が収められた第２の部屋５２が隔壁４８により第１の部屋５１から仕切られている。そして、第２の部屋５２は冷却ファン５８，５９により空気が滞留しないようになっている。このため、仮に第１の部屋５１で暖かい空気が滞留することがあっても、耐熱性の弱い部品が影響を受けにくい。このため、本実施形態では、第２の吸込口６９が筐体２の外部から空気を吸い込む冷却ファン２７を採用でき、発熱量が大きな部品に熱接続されたヒートシンク５４を冷たい空気で集中的に冷却することができる。
【０１１２】
本実施形態に係るテレビ接続機器１では、筐体２に開口する全ての排気孔（第１および第２の排気孔２１，２２）が筐体２の後壁１２に集中している。つまり、第１および第２の冷却ファン２７，５８による騒音は、ユーザーとは反対側となる後壁１２から放出されるため、ユーザーに届きにくい。これにより、テレビ接続機器１の静音性を向上させることができる。
【０１１３】
また、高温になりやすいセルプロセッサ７４などを含む第１の部屋５１が後壁１２側に設けられ、高温になりにくいＨＤＤ３１，３２などを含む第２の部屋５２がユーザー側に設けられている。これにより、ユーザーアクセスが多い前壁１１の温度上昇を抑えることができる。
【０１１４】
第２の部屋５２が前壁１１と右側壁１４に沿って冷却風が流れるＬ字状に形成されていると、第２の部屋５２を比較的大きく確保でき、多くの部品を収容できるとともに、空気の流れが乱れにくいので高い冷却効率が期待できる。
【０１１５】
隔壁４８の一部が放熱板４２，４３で形成されていると、例えば筐体２に内壁やリブなどを形成することで専用の隔壁４８を設ける場合に比べて筐体２内のスペースを有効に利用することができる。隔壁４８一部がファンケース６１の端面６１ａおよびヒートシンク５４の端面５４ａで形成されていると、同様に、筐体２内に専用の隔壁４８を設ける場合に比べて筐体２内のスペースを有効に利用することができる。
【０１１６】
隔壁４８の一部がＨＤＤ３１，３２を保持するホルダ３３，３４で形成されていると、同様に、筐体２内に専用の隔壁４８を設ける場合に比べて筐体２内のスペースを有効に利用することができる。
【０１１７】
第２の吸気孔２４を通じて筐体２の外部の空気を吸い込むとともに、その空気を第２の部屋５２に吐出する第３の冷却ファン５９を備えると、第２および第３の冷却ファン５８，５９によりプッシュプルの送風構造を実現するので、第２の部屋５２の空気の流れがよりスムーズになるので冷却効率が向上する。
【０１１８】
セル基板５５が、筐体２の第１の吸気孔２３と第１の冷却ファン２７の吸込口６８との間に亘って広がり、第１の部屋５１の天井を形成すると、筐体２の上壁６により第１の部屋５１の天井が形成される場合に比べて第１の部屋５１が小さくなる。そのため、第１の部屋５１の送風効率が高まり、冷却効率が向上する。
【０１１９】
セル基板５５が第１の吸気孔２３から第１の冷却ファン２７に向かう導風路Ｄ１の一面を規定する基板面５５ａを有し、この基板面５５ａに前記セルプロセッサ７４が実装されると、導風路Ｄ１を流れる冷却風によりセルプロセッサ７４が直接に冷却されるので、冷却効率が高まる。
【０１２０】
セル基板５５の端部を支持するブラケット７７を備え、このブラケット７７がセル基板５５の端部よりも第１の吸気孔２３とは反対側に張り出し、導風路Ｄ１を延長すると、第１の部屋５１から冷却風が漏れることが少なくなり、冷却効率が向上する。
【０１２１】
チューナー基板５６がセル基板５５とは反対側から導風路Ｄ１を規定する基板面５６ａを有し、この基板面５６ａにチューナー８１が実装されると、導風路Ｄ１を流れる冷却風によりチューナー８１が直接に冷却されるので、冷却効率が高まる。
【０１２２】
本実施形態に係るテレビ接続機器１では、セルプロセッサ７４およびチューナー８１よりも発熱量が小さい画像処理チップ８２を有した画像処理基板５７を備え、この画像処理基板５７がチューナー基板５６に対してセル基板５５とは反対側に位置する。つまり、高温になりやすいセル基板５５およびチューナー基板５６を隣り合わせに配置することで、その間にメインの導風路Ｄ１を形成する。これにより、高温になりやすいセル基板５５およびチューナー基板５６を効率的に冷却することができる。
【０１２３】
ＨＤＤ３１を筐体２の底壁８から浮かした位置で保持するホルダ３３を備え、ＨＤＤ３１と筐体２の底壁８との間に冷却風が通る隙間Ｓ３が形成されていると、第２の部屋５２の空気の流れがスムーズになり、冷却効率が向上する。
【０１２４】
なお、本発明の一つの形態に係る電子機器は、第１の排気孔および第２の排気孔を有した第１の壁と、第１の吸気孔および第２の吸気孔を有した第２の壁とを備えた筐体と、前記筐体に収容された第１の発熱体と、前記筐体に収容された第２の発熱体と、前記筐体の中を、前記第１の吸気孔および前記第１の排気孔に通じるとともに前記第１の発熱体を収容した第１の部屋と、前記第２の吸気孔および前記第２の排気孔に通じるとともに前記第２の発熱体を収容した第２の部屋とに仕切る隔壁と、前記第１の部屋の空気を吸気し、前記第１の排気孔から外部に排気する第１の冷却ファンと、前記第２の吸気孔から外部の空気を吸気し、前記第２の部屋内に排気する第２の冷却ファンと、前記第２の部屋の空気を吸気し、前記第２の排気孔に排気する第３の冷却ファンとを具備する。
【０１２５】
ここで、「第１の壁」の一例は、後壁１２である。「第２の壁」の一例は、左側壁１３である。「第１の発熱体」の一例は、セルプロセッサ７４である。「第２の発熱体」の入一例は、第１のＨＤＤ３１である。「第１の冷却ファン」の一例は、第１の冷却ファン２７である。「第２の冷却ファン」の一例は、説明の便宜上、名称が入れ替わっているが、第３の冷却ファン５９である。そして「第３の冷却ファン」の一例は、第２の冷却ファン５８である。
【０１２６】
以上、本発明の一つの実施形態に係るテレビ接続機器１について説明したが、本発明はこれに限定されるものではなく、光源を用いて加飾される技術、及び可撓性を有するシートを仮止めして実装する技術を用いる装置・電子機器全般に適用できる。この発明は上記実施形態そのままに限定されるものではなく、実施段階ではその要旨を逸脱しない範囲で構成要素を変形して具体化できる。
【０１２７】
例えば、隔壁４８は、放熱板４２，４３や第１および第２のホルダ３３，３４などで形成されている必要はなく、筐体２に設けられた内壁やリブなどで形成してもよい。隔壁４８は、第１および第２の部屋５１,５２の境界の全部に設けられ、第１および第２の部屋５１,５２を完全に遮断してもよいが、上記実施形態のように必要な箇所に部分的に設けるだけでもよい。また、隔壁４８の全部が放熱板で形成されていてもよい。第２の部屋５２は、Ｌ字状に限定されるものではなく、長方形状をしていてもよい。
【０１２８】
上記実施形態では、左側壁１３が本発明でいう第１の側壁（第３の壁）に該当したが、左右の構成を入れ替え、右側壁１４が本発明でいう第１の側壁（第３の壁）に該当し、右側壁１４に第１および第２の吸気孔２３，２４を設けてもよい。
【符号の説明】
【０１２９】
Ｄ１…導風路、１…テレビ接続機器、２…筐体、５ｃ…ＬＥＤ表示部、５ｄ…開口部、８…底壁、１１…前壁、１２…後壁、１３…左側壁（第１の側壁）、１４…右側壁（第２の側壁）、２１…第１の排気孔、２２…第２の排気孔、２３…第１の吸気孔、２４…第２の吸気孔、２５…第３の吸気孔、２７…第１の冷却ファン、３１，３２，１０２，１０３…ＨＤＤ（記憶媒体）、３３，３４…ホルダ、３７，３８…電子部品、４２，４３…放熱板、４８…隔壁、５１…第１の部屋、５２…第２の部屋、５４…ヒートシンク、５５…セル基板（第１の回路基板）、５６…チューナー基板（第２の回路基板）、５７…画像処理基板（第３の回路基板）、５８…第２の冷却ファン、５９…第３の冷却ファン、７４…セルプロセッサ、７７…ブラケット、８１…チューナー、８２…画像処理チップ、２０１…回路基板、２０１ａ〜２０１ｃ…光源（ＬＥＤ）、２０２…支持部、２０３…第１拡散シート、２０４…第２拡散シート、２０５…透明部材。
【図１】
2012064545.tif 000003
【図２】
2012064545.tif 000004
【図３】
2012064545.tif 000005
【図４】
2012064545.tif 000006
【図５】
2012064545.tif 000007
【図６】
2012064545.tif 000008
【図７】
2012064545.tif 000009
【図８】
2012064545.tif 000010
【図９】
2012064545.tif 000011
【図１０】
2012064545.tif 000012
【図１１】
2012064545.tif 000013
【図１２】
2012064545.tif 000014
【図１３】
2012064545.tif 000015
【図１４】
2012064545.tif 000016
【図１５】
2012064545.tif 000017
【図１６】
2012064545.tif 000018
【図１７】
2012064545.tif 000019
【図１８】
2012064545.tif 000020
【図１９】
2012064545.tif 000021
【図２０】
2012064545.tif 000022
【図２１】
2012064545.tif 000023
【図２２】
2012064545.tif 000024
【図２３】
2012064545.tif 000025
【図２４】
2012064545.tif 000026
【図２５】
2012064545.tif 000027
【図２６】
2012064545.tif 000028
【図２７】
2012064545.tif 000029